(57)【要約】【課題】  ベースと上蓋を含むタブレット型パソコン用キーボード装置を提供する。【解決手段】  ベースはハンドルと複数個のキーを含み、またハンドルとベースは一体成型となる。上蓋はタブレット型パソコンを収納する収納槽を有し、上蓋はベースに接続されベースに対向して回転しタブレット型パソコン用キーボード装置を開閉させる。タブレット型パソコン用キーボード装置が起動した時、タブレット型パソコンは収納槽に収納され、またユーザーは複数個のキーにより文字或いは記号を入力できる。タブレット型パソコン用キーボード装置が閉じられた時、ユーザーは手でこれのハンドルを掴み持ち歩ける。【選択図】図４
2012059241.tif 000002
【特許請求の範囲】
【請求項１】
タブレット型パソコンを接続し前記タブレット型パソコンを収納するタブレット型パソコン用キーボード装置であって、
ベースの一端に設置され、前記ベースと一体成型となるハンドルと、
前記ベース上に設置され、少なくとも一つの文字或いは少なくとも一つのコマンドを前記タブレット型パソコンに入力する、複数個のキーからなるベースと、
前記ベースに接続され、また前記ベースに対向して回転し前記ベースに覆い被さり、或いは前記ベースとの間に夾角を形成し、また収納槽を有し、前記タブレット型パソコンを収容する上蓋を含み、
ここでは前記上蓋が前記ベースに対向し回転し前記ベースとの間に前記夾角を形成する時、前記ハンドルと前記上蓋は接触し前記上蓋が引き続き前記ベースに対向して回転するのを防ぐことを特徴とする、タブレット型パソコン用キーボード装置。
【請求項２】
前記ベースは、前記複数個のキーと前記ベースの前記一端の間に設置され、前記タブレット型パソコンの一短辺を収容するのに用いられ、前記タブレット型パソコンが前記収納槽からはみ出すのを回避する収納槽をさらに含むことを特徴とする、請求項１に記載のタブレット型パソコン用キーボード装置。
【請求項３】
前記タブレット型パソコンは第一ワイヤレス通信モジュールを含み、また前記ベースは、前記複数個のキーに接続され、前記第一ワイヤレス通信モジュールとの通信を行え前記複数個のキーにより入力される前記少なくとも一つの文字或いは前記少なくとも一つのコマンドを前記第一ワイヤレス通信モジュールに通信できる第二ワイヤレス通信モジュールをさらに含むことを特徴とする、請求項１に記載のタブレット型パソコン用キーボード装置。
【請求項４】
前記第一ワイヤレス通信モジュールと前記第二ワイヤレス通信モジュールはブルートゥース通信モジュールであることを特徴とする、請求項３に記載のタブレット型パソコン用キーボード装置。
【請求項５】
前記上蓋は、
前記収納槽の一端に位置し、前記タブレット型パソコンの一短辺を外に露出させる補助槽と、
前記上蓋の一上縁に位置し、前記上縁に対向して移動するロック部材をさらに含み、前記ロック部材が前記上縁に対向してロック位置まで移動した時、前記タブレット型パソコンは前記ロック部材によりロックされ前記収納槽中に固定され、前記ロック部材が前記上縁に対向してロック解除位置まで移動した時、前記タブレット型パソコンは前記ロック部材によるロックを解除されることを特徴とする、請求項１に記載のタブレット型パソコン用キーボード装置。
【請求項６】
前記ハンドルは、電池を収納し前記電池の電力を出力させるための電池入れを含むことを特徴とする、請求項１に記載のタブレット型パソコン用キーボード装置。
【請求項７】
前記ベースは、前記ベースの他端に設置される第一磁性体をさらに含み、前記上蓋は、前記上縁に設置され、前記上蓋が前記ベースに対向して回転した時、前記第一磁性体を引き付ける或いは前記第一磁性体により引き付けられ、前記上蓋に前記ベースを覆い被させる第二磁性体をさらに含むことを特徴とする、請求項１に記載のタブレット型パソコン用キーボード装置。
【請求項８】
前記ベースは、前記ベースの他端に設置される磁性体をさらに含み、前記上蓋は、前記上縁に設置され、前記上蓋が前記ベースに対向して回転した時に前記磁性体により引き付けられ、前記上蓋に前記ベースを覆い被させる金属部材をさらに含むことを特徴とする、請求項１に記載のタブレット型パソコン用キーボード装置。
【請求項９】
前記ベースは、前記ベースの他端に設置される金属部材をさらに含み、前記上蓋は、前記上縁に設置され、前記上蓋が前記ベースに対向して回転した時に前記金属部材を引き付け、前記上蓋に前記ベースを覆い被させる磁性体をさらに含むことを特徴とする、請求項１に記載のタブレット型パソコン用キーボード装置。
【請求項１０】
前記ハンドルは、
前記ベースの前記一端の第一辺上に位置する第一ストッパー部と、
前記ベースの前記他端の第二辺上に位置する第二ストッパー部と、
前記第一ストッパー部が延長されることで形成され、前記上蓋の一端に挿入される第一回転軸と、
前記第二ストッパー部が延長されることで形成され、前記上蓋の他端に挿入され、前記上蓋を前記ベースに対抗させ回転させる第二回転軸をさらに含み、ここでは、前記上蓋が前記ベースに対向して回転し前記ベースとの間に前記夾角を形成した時、前記第一ストッパー部は前記上蓋の一端と接触し、また前記第二ストッパー部が前記上蓋の他端と接触し前記上蓋が引き続き前記ベースに対向して回転するのを防ぐことを特徴とする、請求項１に記載のタブレット型パソコン用キーボード装置。
【発明の詳細な説明】
【技術分野】
【０００１】
本発明は、キーボード装置に関し、より詳しくは、應用於タブレット型パソコンのキーボード装置に関する。
【背景技術】
【０００２】
一般的に、パソコン周辺機器の入力装置はマウス、キーボード及びトラックボール等で、ここではキーボードは直接文字と記号をパソコンに入力出来る。このためユーザーや入力装置メーカーから相当に重視されている。次に従来のキーボードの構造と機能を説明する。次に従来のキーボードの構造と機能を説明する。従来のキーボード１は表面上に複数個のキーを有し、これらのキーは標準タイプキー１０、テンキー１１及びファンクションキー１２等に分類される。これらのキーはユーザーに指で押されることで対応する信号を発信させコンピューターに送信し、コンピューターに押されたキーの機能を実行させる。例えば標準タイプキー１０は英字等の記号を入力するために用い、テンキー１１は数字を入力するために用い、ファンクションキー１２は例えばＦ１〜Ｆ１２等にある、各種機能を提供する。
【０００３】
科学技術の進歩に伴い、市場にはタブレット型パソコンが登場した。タブレット型パソコンは薄く軽量で、液晶ディスプレイのような外観を有し、またタブレット型パソコンのディスプレイはタッチスクリーン式ディスプレイとなっており、これによりタブレット型パソコンはタッチスクリーン式ディスプレイによりコマンドを入力されることで操作される。ユーザーがタブレット型パソコンを操作し、また文字或いは記号を入力する時、タブレット型パソコンのタッチスクリーン式ディスプレイはバーチャルキーボード装置のキーボードのグラフィックを表示し、ユーザーはキーボードのグラフィック上の各グラフィックをタッチすることで対応する文字或いは記号を入力でき、これによりタブレット型パソコンはキーボード装置と接続させることなく直接文字或いは記号を入力できる。
【０００４】
タブレット型パソコンは薄く軽量な外観を有し、また外付けキーボード装置を必要とせず携帯に便利ではあるが、しかしながらパーソナルコンピューター或いはノートパソコンの使い方に慣れているユーザーはタッチスクリーン式ディスプレイを利用した文字或いは記号の入力に適応できず、これにより多くのユーザーは外付け式キーボード装置（この機能と構造は図１に図示する）を用意しタブレット型パソコンに接続し、タブレット型パソコンを例えばブックスタンド等のタブレット型パソコンを立て掛けられる物の上に立て掛け、タブレット型パソコンを一般的なディスプレイとして、外付け式キーボード装置を利用して文字或いは記号を入力し、ここでは外付け式キーボード装置をＵＳＢ（Ｕｎｉｖｅｒｓａｌ  Ｓｅｒｉａｌ  Ｂｕｓ，ＵＳＢ）接続によりタブレット型パソコンに接続する。
【０００５】
上記の設置方法はユーザーの習慣的な方法でタブレット型パソコンを操作できるが、しかしユーザーがタブレット型パソコンを携帯する時に必然的に外付け式キーボード装置を用意せねばならず、そうでなければ、ユーザーは外付け式キーボード装置を携帯せず、習慣的ではない方法である直接タッチスクリーン式ディスプレイ上のキーボードのグラフィックを使用し文字或いは記号を入力する方法を採らなければならない。上記のとおり、もしユーザーが習慣的な操作方法によるタブレット型パソコンの操作を希望するなら、外付け式キーボード装置の携帯は必須である。もしユーザーが外付け式キーボード装置の携帯を希望しないなら、直接タッチスクリーン式ディスプレイ上のキーボードのグラフィックを使用し文字或いは記号を入力しなければならない。上記の二つの方法はいずれもユーザーにとっては不便なもので、これにより携帯に便利で習慣的な操作方法による操作が可能なタブレット型パソコンのキーボード装置が必要であった。
【発明の概要】
【発明が解決しようとする課題】
【０００６】
本発明は、このような従来の問題に鑑みてなされたものである。上記課題解決のため、本発明は、キー入力機能と収納機能を兼ね備えたタブレット型パソコン用キーボード装置を提供することを主目的とする。
【課題を解決するための手段】
【０００７】
本発明の好ましい実施形態においては、タブレット型パソコンを接続し前記タブレット型パソコンを収納するタブレット型パソコン用キーボード装置であって、
ベースの一端に設置され、前記ベースと一体成型となるハンドルと、
前記ベース上に設置され、少なくとも一つの文字或いは少なくとも一つのコマンドを前記タブレット型パソコンに入力する、複数個のキーからなるベースと、
前記ベースに接続され、また前記ベースに対向して回転し前記ベースに覆い被さり、或いは前記ベースとの間に夾角を形成し、また収納槽を有し、前記タブレット型パソコンを収容する上蓋を含み、
ここでは前記上蓋が前記ベースに対向し回転し前記ベースとの間に前記夾角を形成する時、前記ハンドルと前記上蓋は接触し前記上蓋が引き続き前記ベースに対向して回転するのを防ぐことを特徴とする、タブレット型パソコン用キーボード装置。
【０００８】
本発明の好ましい実施形態においては、前記ベースは、前記複数個のキーと前記ベースの前記一端の間に設置され、前記タブレット型パソコンの一短辺を収容するのに用いられ、前記タブレット型パソコンが前記収納槽からはみ出すのを回避する収納槽をさらに含むことを特徴とする、タブレット型パソコン用キーボード装置。
【０００９】
本発明の好ましい実施形態においては、前記タブレット型パソコンは第一ワイヤレス通信モジュールを含み、また前記ベースは、前記複数個のキーに接続され、前記第一ワイヤレス通信モジュールとの通信を行え前記複数個のキーにより入力される前記少なくとも一つの文字或いは前記少なくとも一つのコマンドを前記第一ワイヤレス通信モジュールに通信できる第二ワイヤレス通信モジュールをさらに含むことを特徴とするタブレット型パソコン用キーボード装置。
【００１０】
本発明の好ましい実施形態においては、前記第一ワイヤレス通信モジュールと前記第二ワイヤレス通信モジュールはブルートゥース通信モジュールであることを特徴とするタブレット型パソコン用キーボード装置。
【００１１】
本発明の好ましい実施形態においては、前記上蓋は、
前記収納槽の一端に位置し、前記タブレット型パソコンの一短辺を外に露出させる補助槽と、
前記上蓋の一上縁に位置し、前記上縁に対向して移動するロック部材をさらに含み、前記ロック部材が前記上縁に対向してロック位置まで移動した時、前記タブレット型パソコンは前記ロック部材によりロックされ前記収納槽中に固定され、前記ロック部材が前記上縁に対向してロック解除位置まで移動した時、前記タブレット型パソコンは前記ロック部材によるロックを解除されることを特徴とするタブレット型パソコン用キーボード装置。
【００１２】
本発明の好ましい実施形態においては、前記ハンドルは、電池を収納し前記電池の電力を出力させるための電池入れを含むことを特徴とするタブレット型パソコン用キーボード装置。
【００１３】
本発明の好ましい実施形態においては、前記ベースは、前記ベースの他端に設置される第一磁性体をさらに含み、前記上蓋は、前記上縁に設置され、前記上蓋が前記ベースに対向して回転した時、前記第一磁性体を引き付け或いは前記第一磁性体により引き付けられ、前記上蓋に前記ベースを覆い被させる第二磁性体をさらに含むことを特徴とするタブレット型パソコン用キーボード装置。
【００１４】
本発明の好ましい実施形態においては、前記ベースは、前記ベースの他端に設置される磁性体をさらに含み、前記上蓋は、前記上縁に設置され、前記上蓋が前記ベースに対向して回転した時に前記磁性体により引き付けられ、前記上蓋に前記ベースを覆い被させる金属部材をさらに含むことを特徴とするタブレット型パソコン用キーボード装置。
【００１５】
本発明の好ましい実施形態においては、前記ベースは、前記ベースの他端に設置される金属部材をさらに含み、前記上蓋は、前記上縁に設置され、前記上蓋が前記ベースに対向して回転した時に前記金属部材を引き付け、前記上蓋に前記ベースを覆い被させる磁性体をさらに含むことを特徴とするタブレット型パソコン用キーボード装置。
【００１６】
本発明の好ましい実施形態においては、前記ハンドルは、
前記ベースの前記一端の第一辺上に位置する第一ストッパー部と、
前記ベースの前記他端の第二辺上に位置する第二ストッパー部と、
前記第一ストッパー部が延長されることで形成され、前記上蓋の一端に挿入される第一回転軸と、
前記第二ストッパー部が延長されることで形成され、前記上蓋の他端に挿入され、前記上蓋を前記ベースに対抗させ回転させる第二回転軸をさらに含み、ここでは、前記上蓋が前記ベースに対向して回転し前記ベースとの間に前記夾角を形成した時、前記第一ストッパー部は前記上蓋の一端と接触し、また前記第二ストッパー部が前記上蓋の他端と接触し前記上蓋が引き続き前記ベースに対向して回転するのを防ぐことを特徴とするタブレット型パソコン用キーボード装置。
【図面の簡単な説明】
【００１７】
【図１】従来のキーボード装置の外観構造の概略図である。
【図２】本発明に係る好ましい実施形態におけるタブレット型パソコン用キーボード装置の操作時の状態の構造の概略図である。
【図３】本発明に係る好ましい実施形態におけるタブレット型パソコン用キーボード装置を別の角度から見た部分構造の分解図である。
【図４】本発明に係る好ましい実施形態におけるタブレット型パソコン用キーボード装置がタブレット型パソコンを収納する構造の概略図である。
【図５】本発明に係る好ましい実施形態におけるタブレット型パソコン用キーボード装置の構造の側面図である。
【図６】本発明に係る好ましい実施形態におけるタブレット型パソコン用キーボード装置がタブレット型パソコンを支える構造の概略図である。
【図７】本発明に係る好ましい実施形態におけるタブレット型パソコン用キーボード装置の携帯時の状態の構造の概略図である。
【発明を実施するための形態】
【００１８】
以下に図面を参照して本発明を実施するための形態について、詳細に説明する。なお、本発明は、以下に説明する実施形態に限定されるものではない。
【００１９】
図２は本発明の好ましい実施形態に係るタブレット型パソコン用キーボード装置の操作時の状態の構造の概略図である。図２はタブレット型パソコン用キーボード装置２とタブレット型パソコン３を図示し、タブレット型パソコン３は短辺３１と、第一ワイヤレス通信モジュール３２と、電源キー３３と、コネクトラインの挿入孔３４及びロゴ３５（図７に示す）で構成される。電源キー３３とコネクトラインの挿入孔３４はタブレット型パソコン３の短辺３１上に設置され、電源キー３３によりタブレット型パソコン３を起動或いは終了させ、コネクトラインの挿入孔３４にはイヤホン或いはスピーカー等パソコン周辺機器である音響裝置（図示せず）の端子が挿入されパソコン周辺音響裝置とタブレット型パソコン３を接続し、本発明の好ましい実施形態においては、第一ワイヤレス通信モジュール３２はブルートゥース通信モジュールである。
【００２０】
本発明のタブレット型パソコン用キーボード装置２の操作時の状態は、タブレット型パソコン用キーボード装置２はベース２１と上蓋２２からなり、また上蓋２２はベース２１に接続され、ベース２１に対向して回転しベース２１との間に夾角Ａ（図５に示す）を形成する。ベース２１はハンドル２１１と、複数個のキー２１２と、収納槽２１３と、第二ワイヤレス通信モジュール２１４及び二つの第一磁性体２１５で構成される。ハンドル２１１はベース２１１の一端に設置され、またハンドル２１１とベース２１一体成型となり、ユーザーはハンドル２１１を握って持てる。ハンドル２１１は第一ストッパー部２１１１と、第二ストッパー部２１１２と、第一回転軸２１１３及び第二回転軸２１１４で構成される。第一ストッパー部２１１１はベース２１の一端の第一辺上（図２中の左辺）に位置し、第二ストッパー部２１１２はベース２１の一端の第二辺上（図２中の右辺）に位置する。第一回転軸２１１３は第一ストッパー部２１１１が延長することで形成され、上蓋２２の一端に挿入され、また第二回転軸２１１４は第二ストッパー部２１１２が延長することで形成され、上蓋２２の他端に挿入され、ベース２１は第一回転軸２１１３と第二回転軸２１１４により上蓋２２に接続され、第一回転軸２１１３と第二回転軸２１１４により上蓋２２はベース２１に対向して回転する。
【００２１】
複数個のキー２１２はベース２２上に設置され、またベース２２の外に露出し、ユーザーに押されることで前記複数個のキー２１２の対応する文字或いは記号を出力させる。収納槽２１３は複数個のキー２１２とベース２１の一端の間に設置され、タブレット型パソコン３の短辺３１を収納しタブレット型パソコン３１が収納槽２１３からはみ出すのを回避する。第二ワイヤレス通信モジュール２１４は複数個のキー２１２に接続し、第一ワイヤレス通信モジュール３２との通信を行い複数個のキー２１２の発信する文字或いは記号を第一ワイヤレス通信モジュール３２へ送信する。二つの第一磁性体２１５はベース２１の他端に設置され、本発明の好ましい実施形態においては、第二ワイヤレス通信モジュール２１４はブルートゥース通信モジュールであり、第一磁性体２１５は磁石である。
【００２２】
図２に示す、上蓋２２は収納槽２２１と、補助槽２２２と、ロック部材２２３と、二つの第二磁性体２２４と、コネクトラインの収納槽２２５及び円型孔２２６で構成される。収納槽２２１はタブレット型パソコン３を収納し、補助槽２２２は収納槽２２１の一端に位置し、タブレット型パソコン３の短辺３１を外へ露出させユーザーが指で触れられるようにする。ロック部材２２３は上蓋２２の一上縁に位置し、一上縁に対抗して上下移動し、図２中の、ロック部材２２３はロック解除位置Ｐ１に位置する。二つの第二磁性体２２４は上蓋２２の一上縁に設置され、上蓋２２がベース２１に対向し回転した時第一磁性体２１５を引き付け或いは第一磁性体２１５に引き付けられ、本発明の好ましい実施形態においては、第二磁性体２２４は磁石である。コネクトラインの収納槽２２５は上蓋２２の一端に設置され、補助槽２２２の下方に位置する。
【００２３】
図３は本発明の好ましい実施形態に係るタブレット型パソコン用キーボード装置を別の角度から見た部分構造の分解図である。ハンドル２１１は電池入れ２１１５と電池蓋２２１６を含み、電池入れ２１１５は二つの電池２３を収納し電池２３の電力を出力し、複数個のキー２１２と第二ワイヤレス通信モジュール２１４を動作させる。電池蓋２２１６は電池入れ２１１５を覆い蓋をし電池入れ２１１５を外に露出させない。図３のとおり、ハンドル２１１はベース２１と一体成型となり、またハンドル２１１はＤ字形状となる。
【００２４】
次にユーザーがタブレット型パソコン３をタブレット型パソコン用キーボード装置２に設置する時の状態を説明する。図４は本発明の好ましい実施形態に係るタブレット型パソコン用キーボード装置がタブレット型パソコンを収納した構造の概略図である。ユーザーがタブレット型パソコン用キーボード装置２を使用しタブレット型パソコン３を操作する時、まずタブレット型パソコン３を横にし上蓋２２の収納槽２２１中にセットし、上蓋２２の一上縁上に位置するロック部材２２３を下方に移動させ、ロック部材２２３をロック位置Ｐ２に位置させタブレット型パソコン３をロックし、タブレット型パソコン３が収納槽２２１からはみ出るのを回避する。当然ながら、ユーザーがタブレット型パソコン３を収納槽２２１から取り出す時は、ロック部材２２３をロック位置Ｐ２からロック解除位置Ｐ１まで移動させることでタブレット型パソコン３を取り出せる。
【００２５】
タブレット型パソコン３が収納槽２２１中にセットされる時、タブレット型パソコン３の短辺３１は補助槽２２２に隣接し、タブレット型パソコン３の短辺３１を外に露出させる。タブレット型パソコン３の短辺３１が外に露出されることにより、この短辺３１上の電源キー３３とコネクトラインの挿入孔３４も外に露出され、ユーザーは指を補助槽２２２に入れ電源キー３３を押しタブレット型パソコン３を起動或いは終了させる。この他、タブレット型パソコン３の短辺３１上のコネクトラインの挿入孔３４はコネクトラインの収納槽２２５の部分で露出され、ユーザーはイヤホン或いはスピーカー等のパソコン周辺音響裝置（図示せず）をコネクトラインの挿入孔３４によりタブレット型パソコン３に接続でき、またパソコン周辺音響裝置のコネクターの端子はコネクトラインの収納槽２２５に収納される。
【００２６】
ちなみに、ユーザーがタブレット型パソコン用キーボード装置２を操作する時、上蓋２２は第一回転軸２１１３と第二回転軸２１１４を軸にベース２１に対向して回転し、また上蓋２２とベース２１の間に夾角Ａが形成される。タブレット型パソコン用キーボード装置２において、タブレット型パソコン３は上蓋２２の収納槽２２１中に収納され、これにより上蓋２２の重量は本来の重量に上蓋２２とタブレット型パソコン３の重量を加え、上蓋２２は重量の変化の影響でベース２１に対向しての回転を続ける。しかしハンドル２１１の構造が上蓋２２がベース２１に対向して回転するのを妨げ、これは、ベース２１の、第一ストッパー部２１１１の位置が第一回転軸２１１３に比べベース２１の一端（図２中の左側に示す）により近接しており、第二ストッパー部２１１２の位置も第二回転軸２１１４に比べベース２１の他端（図２中の右側に示す）により近接しており、これにより上蓋２２がベース２１に対向し回転する時、上蓋２２の両端の下方が離れハンドル２１１の第一ストッパー部２１１１と第二ストッパー部２１１２に接触し、第一ストッパー部２１１１と第二ストッパー部２１１２に阻まれて上蓋２２が引き続きベース２１に対向して回転するのを止められ、上蓋２２とベース２１の間の夾角Ａは約１１０度となり、これは図５に図示される。これにより、タブレット型パソコン３が収納槽２２１にセットされた時、上蓋２２は重量の変化の影響によるベース２１に対向しての回転を続けることはなくなる。また、タブレット型パソコン用キーボード装置２がワークスペース（一般的にデスク）上に置かれた時、ハンドル２１１はワークスペースに接触しタブレット型パソコン用キーボード装置２を支えタブレット型パソコン用キーボード装置２が倒れるのを防ぐ。
【００２７】
タブレット型パソコン３のセットアップが完了した後、タブレット型パソコン３の第一ワイヤレス通信モジュール３２が起動され、第一ワイヤレス通信モジュール３２はベース２１の第二ワイヤレス通信モジュール２１４と通信を行う。第一ワイヤレス通信モジュール３２と第二ワイヤレス通信モジュール２１４の通信が確立した後、ユーザーはベース２１上の複数個のキー２１２をタッチすることで対応する文字、記号或いはコマンドを発信でき、これらの文字、記号或いはコマンドは第二ワイヤレス通信モジュール２１４により第一ワイヤレス通信モジュール３２に送信され、これによりこれらの文字、記号或いはコマンドはタブレット型パソコン３に出力される。
【００２８】
タブレット型パソコン３が収納槽２２１にセットされる以外にも、タブレット型パソコン用キーボード装置はさらに別の操作方法を有しており、図６は本発明の好ましい実施形態に係るタブレット型パソコン用キーボード装置がタブレット型パソコンを支える構造の概略図である。ベース２１の収納槽２１３の長さはタブレット型パソコン３の短辺３１より少し長く、これにより、ユーザーはタブレット型パソコン３を縦置きでベース２１の収納槽２１３へセットでき、タブレット型パソコン３の短辺３１を収納槽２１３に位置させ、またタブレット型パソコン３は上蓋２２に支えられ倒れない。ユーザーは同様に複数個のキー２１２により文字、記号或いはコマンドをタブレット型パソコン３に入力できる。
【００２９】
ユーザーが必要に迫られタブレット型パソコン３とタブレット型パソコン用キーボード装置２を携帯し外出した時、ユーザーはタブレット型パソコン３を収納槽２２１中にセットし、上蓋２２をベース２１に対向して回転させ、上蓋２２がベース２１に近接した時、ベース２１と上蓋２２中の第一磁性体２１５と第二磁性体２２４は磁力を発生させ相互に引き付け合い、上蓋２２にベース２１を覆わせ蓋をし、この時タブレット型パソコン用キーボード装置２はスーツケースの外観を呈し、ユーザーは手４でハンドル２１１を握り持ちタブレット型パソコン用キーボード装置２を携帯でき、またタブレット型パソコン３のロゴ３５は円型孔２２６により外に露出され、これは図７に示す。上蓋２２がベース２１を覆い蓋をした時、ベース２１と上蓋２２中の第一磁性体２１５と第二磁性体２２４は相互に引き付け合い、これによりタブレット型パソコン用キーボード装置２の携帯中に上蓋２２とベース２１が剥離するのを回避できる。別の本発明の好ましい実施形態においては、上蓋の、第二磁性体は金属部材でもよく、上蓋ベースを覆い蓋をした時、上蓋の前記金属部材は第一磁性体に引き付けられ上蓋とベースの剥離を回避できる。同じように、ベースの第一磁性体も金属部材でもよく、前記金属部材は上蓋の第二磁性体に引き付けられる。
【００３０】
上記のとおり、本発明のタブレット型パソコン用キーボード装置はユーザーの必要に応じその外観を変更でき、ユーザーがタブレット型パソコンを操作する時は、タブレット型パソコン用キーボード装置を開きタブレット型パソコンをこの中にセットし、ユーザーは習慣的な操作方法によりタブレット型パソコンを操作できる。またユーザーがタブレット型パソコン３とタブレット型パソコン用キーボード装置２を携帯する時は、タブレット型パソコン用キーボード装置の外観を変更させスーツケース型にして容易に携帯できる。また、本発明のタブレット型パソコン用キーボード装置のハンドルとベースは一体成型となり、タブレット型パソコン用キーボード装置の構造をさらに堅固にする。
【００３１】
上記の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３２】
１、２  キーボード装置  
３  タブレット型パソコン    
４  手  
１０  標準タイプキー    
１１  テンキー  
１２  ファンクションキー    
２１  ベース  
２２  上蓋    
２３  電池  
３１  短辺    
３２、２１４  ワイヤレス通信モジュール  
３３  電源キー    
３４  コネクトラインの挿入孔  
３５  ロゴ    
２１１  ハンドル  
２１２  キー    
２１３  収納槽  
２１５、２２４  磁性体    
２２１  収納槽  
２２２  補助槽    
２２３  ロック部材  
２２５  コネクトラインの収納槽    
２２６  円型孔  
２１１１、２１１２  ストッパー部    
２１１３、２１１４  回転軸  
２１１５  電池入れ    
２１１６  電池蓋  
Ａ  夾角    
Ｐ１  ロック解除位置  
Ｐ２  ロック位置    
【図１】
2012059241.tif 000003
【図２】
2012059241.tif 000004
【図３】
2012059241.tif 000005
【図４】
2012059241.tif 000006
【図５】
2012059241.tif 000007
【図６】
2012059241.tif 000008
【図７】
2012059241.tif 000009